(57)【要約】【課題】キーボードなどを持たない生体情報通信端末において、様々なネットワークサービスをユーザに提供することが難しい。【解決手段】生体情報通信端末に、ＨＴＭＬ／ＸＭＬを表示するブラウザ部と、ブラウザ部の接続先を生体情報サーバー３からユーザ毎に取得するＵＲＬ取得部と、取得したＨＴＭＬ／ＸＭＬファイルに個人情報を文字列置換により埋め込むキーワード置換部を設ける。これにより、ユーザ毎に適したセキュアなネットワークサービスを提供できる。【選択図】　図１
2004126737.tif 000002
【特許請求の範囲】
【請求項１】
血圧値や血糖値などの生体情報を計測する生体情報計測部と、前記生体情報計測部で測定した生体情報を生体情報サーバーへ送信する計測情報送信部と、ユーザ毎に設定された通信接続先ＵＲＬおよび引数を生体情報サーバーから取得するＵＲＬ取得部と、前記ＵＲＬと前記引数を用いてインターネットなどの通信回線上のサーバーへアクセスし、ＨＴＭＬやＸＭＬ等のマークアップ言語で記述されたファイルを取得・表示するブラウザ部を備えたことを特徴とする生体情報通信端末。
【請求項２】
ユーザの生体情報を記憶する生体情報記憶部と、生体情報通信端末から送信された生体情報を前記生体情報記憶部に登録する生体情報登録部と、生体情報通信端末のブラウザ部の接続先ＵＲＬと認証情報や個人情報などの追加情報をＵＲＬの引数としてユーザ毎に記憶するＵＲＬ記憶部と、前記ＵＲＬ記憶部に記憶されたＵＲＬと引数を生体情報通信端末に送信するＵＲＬ送信部を備えたことを特徴とする生体情報サーバー。
【請求項３】
血圧値や血糖値などの生体情報を計測する生体情報計測部と、前記生体情報計測部で測定した生体情報を生体情報サーバーへ送信する計測情報送信部と、ＨＴＭＬやＸＭＬ等で記述されたファイル中のキーワードを所定の規則に基づいて異なる文字列へ置換するキーワード置換部と、前記キーワード置換部で用いるキーワードと文字列の置換規則を記憶するキーワード記憶部と、インターネットなどの通信回線上の任意のサーバーへアクセスしてＨＴＭＬやＸＭＬ等で記述されたファイルを取得し、前記キーワード置換部による処理を行った後のＨＴＭＬや　ＸＭＬのファイルを表示するブラウザ部を備えたことを特徴とする生体情報通信端末。
【請求項４】
血圧値や血糖値などの生体情報を計測する生体情報計測部と、前記生体情報計測部で測定した生体情報を生体情報サーバーへ送信する計測情報送信部と、ユーザのＩＤ・氏名・保険証番号・電話番号など個人情報を記憶するユーザ情報記憶部と、ユーザのログイン操作から現在の利用者を判定する利用者管理部と、前記利用者管理部で得られる現在の利用者情報から、前記ユーザ情報記憶部を検索して、ＨＴＭＬやＸＭＬ等のファイル中に記載された所定のキーワードを、現在利用しているユーザの個人情報へ置き換えるキーワード置換部と、前記キーワード置換部の処理において、どのキーワードがどの個人情報へ変換されるかを示した文字列の置換規則を記憶するキーワード記憶部と、インターネットなど通信回線上の任意のサーバーへアクセスしてＨＴＭＬやＸＭＬ等のマークアップ言語で記述されたファイルを取得し、前記キーワード置換部による処理を行った後のＨＴＭＬや　ＸＭＬのファイルを表示するブラウザ部を備えたことを特徴とする生体情報通信端末。
【請求項５】
ユーザからの入力を受け付ける入力部を備え、前記入力部を用いたユーザからの入力に応じてキーワード記憶部に記憶されている置き換え規則を変更することを特徴とする請求項３、４記載の生体情報通信端末。
【請求項６】
キーワード記憶部に記憶されている置換規則を生体情報サーバーから取得するキーワード取得部を備えたことを特徴とする請求項３，４記載の生体情報通信端末。
【請求項７】
ユーザのＩＤ・氏名・保険証番号などの個人情報を記憶する個人情報記憶部と、前記個人情報をユーザの利用する生体情報通信端末へ送信する個人情報送信部と、生体情報通信端末においてキーワード記憶部に記憶されている置換規則をユーザ毎あるいはＵＲＬ毎に記憶する置換規則記憶部と、前記置換規則記憶部に記憶されている置換規則を生体情報通信端末に送信する置換規則送信部と、前記置換規則記憶部に記憶されている置換規則もしくは前記個人情報記憶部に記憶されている個人情報の少なくとも一方を登録・変更・削除を行うユーザデータ管理部を備えたことを特徴とする生体情報通信サーバー。
【請求項８】
個人情報送信部は、置換規則記憶部に記憶された置換規則に記載された個人情報種類のみを生体情報通信端末へ送信し、置換規則に記載されていない個人情報種別については生体情報通信端末へ送信しないことを特徴とする請求項７記載の生体情報通信サーバー。
【請求項９】
請求項１〜８のいづれか１項記載の機能すべてもしくは一部をコンピュータに実現させるためのプログラム。
【発明の詳細な説明】
【０００１】
【発明の属する技術分野】
本発明は、在宅あるいは医療機関内の患者に対して、生体情報・医療・保健に関する情報について、医者や看護婦などの医療関係者と通信を行う生体情報通信端末および生体情報サーバーに関するものである。
【０００２】
【従来の技術】
医療費の高騰に伴い、患者を在宅で治療する傾向が高まっている。この在宅医療を実現するためのシステムとして、生体情報通信端末や、生体情報サーバーから構成される医療情報通信システムがある。
【０００３】
従来の医療情報通信システムの概略構成を図９に示す。この医療情報通信システムは、生体情報通信端末１００、生体情報サーバー１１０、医療関係者用端末１２０からなる。
【０００４】
生体情報通信端末１００は、ユーザ（患者）の生体情報（体温、血圧、体重、血糖値など）を測定する生体情報計測部１０１、測定された生体情報を通信により生体情報サーバー１１０に送信する生体情報送信部１０２、生体情報サーバー１１０から送信された情報を受信して表示する医療情報表示部１０３からなる。
【０００５】
生体情報サーバー１１０は、生体情報通信端末１００から送信されたデータを受信する生体情報受信部１１１、受信した生体情報を記憶する生体情報記憶部１１２、医療や保健に関連した情報を設定・記憶し、生体情報通信端末１００に送信する医療情報記憶部１１３からなる。
【０００６】
医療関係者用端末１２０は、パソコンなど通常の民生用コンピュータで構成されており、生体情報サーバー１１０や医療情報記憶部１１３にアクセスして、データの閲覧・登録・変更・削除が可能である。
【０００７】
以上のように構成された医療情報システムでは、生体情報通信端末１００は患者宅に置き、生体情報サーバー１１０は医療機関や情報センターなどに設置する。生体情報通信端末で測定された生体データは、公衆通信網を通じて生体情報サーバー１１０へ送信され記録される。医師や看護婦はパソコンなどから構成された医療関係者用端末１２０を用いて、生体情報サーバー１１０へアクセスし、生体情報記憶部１１２に蓄えられた患者の生体データを閲覧する。また、医療情報記憶部１１３に、治療や予防に関するアドバイス情報など保健や医療に関する様々な情報を登録することで、様々な情報を患者に向けて送信することができる。
【０００８】
【発明が解決しようとする課題】
しかしながら、上記従来の生体情報通信端末や生体情報サーバーでは、以下のような課題があった。
【０００９】
（１）医療機関から患者への情報提供として、医師や看護婦などの医療関係者が登録した医療や保健に関する情報（アドバイスなど）以外の情報提供ができない。生体情報通信端末はインターネット上にある様々なコンテンツ情報にアクセスできない。
【００１０】
（２）インターネットへアクセスして、通信販売や予約（診察、通院など）などのサービスを受ける際に認証が必要となるが、キーボードなどの入力デバイスを持たないため認証が難しい。
【００１１】
【課題を解決するための手段】
本発明は上記課題を解決するため、生体情報通信端末にインターネットやイントラネット上のＨＴＭＬやＸＭＬで記述されたコンテンツを表示するためのブラウザ部を設け、ブラウザ部での通信先と必要な引数を取得するＵＲＬ取得部と、認証のために必要な個人情報をＨＴＭＬ／ＸＭＬに組み込むキーワード置換部を設ける。
【００１２】
生体情報サーバーには、生体情報通信端末内のブラウザの通信先をユーザ毎に記憶するＵＲＬ記憶部、通信先を生体情報通信端末へ送信するＵＲＬ送信部、認証に必要なキーワードの置換規則を記憶する置換規則記憶部、生体情報通信端末へ置換規則を送信する置換規則送信部を設ける。
【００１３】
この構成により、生体情報通信端末はＵＲＬ取得部でサーバーから通信先を取得し、取得したＵＲＬにブラウザ部は接続し、インターネット上の通信販売や予約など様々なサービスを行うサイトの情報を表示することができる。
【００１４】
取得したＸＭＬ／ＨＴＭＬコンテンツは、ブラウザ部での表示前に、キーワード置換部が所定の規則に基づいた置換を行い、利用しているユーザの認証情報をＸＭＬ／ＨＴＭＬコンテンツに組み込む。これにより、ユーザの認証情報を必要に応じて、通信販売や予約などを行うサイトに送信することができる。
【００１５】
【発明の実施の形態】
本発明の請求項１にかかる生体情報通信端末は、血圧値や血糖値などの生体情報を計測する生体情報計測部と、生体情報計測部で測定した生体情報を生体情報サーバーへ送信する計測情報送信部と、ユーザ毎に設定された通信接続先ＵＲＬおよび引数を生体情報サーバーから取得するＵＲＬ取得部と、ＵＲＬと引数を用いてインターネット上のサーバーへアクセスし、ＨＴＭＬやＸＭＬ等のマークアップ言語で記述されたファイルを取得・表示するブラウザ部を備える。この構成により、生体情報通信端末はインターネットなどにある様々なコンテンツにアクセスできる。接続するＵＲＬと引数はユーザ毎に生体情報サーバーから取得することにより、ユーザに適したホームページを閲覧させることができる。また、引数にユーザの名前などさまざまな情報を設定する事により、生体情報通信端末に様々な情報通信サービスを提供することができる。
【００１６】
本発明の請求項２にかかる生体情報サーバーは、ユーザの生体情報を記憶する生体情報記憶部と、生体情報通信端末から送信された生体情報を生体情報記憶部に登録する生体情報登録部と、生体情報通信端末のブラウザ部の接続先ＵＲＬと認証情報や個人情報などの追加情報をＵＲＬの引数としてユーザ毎に記憶するＵＲＬ記憶部と、ＵＲＬ記憶部に記憶されたＵＲＬを生体情報通信端末に送信するＵＲＬ送信部を備える。この構成により、生体情報通信端末に個人毎に設定したＵＲＬやその引数情報を送信することができる。引数には認証情報や個人情報が含まれているので、生体情報通信端末は指定したＵＲＬの他のサーバーに対して容易に認証が行え、さまざまな情報サービスを受けることができる。
【００１７】
本発明の請求項３にかかる生体情報通信端末は、血圧値や血糖値などの生体情報を計測する生体情報計測部と、生体情報計測部で測定した生体情報を生体情報サーバーへ送信する計測情報送信部と、ＨＴＭＬやＸＭＬ等のマークアップ言語中に記載されたキーワードを所定の規則に基づいて異なる文字列へ置換するキーワード置換部と、キーワード置換部で用いるキーワードと文字列の置換規則を記憶するキーワード記憶部と、インターネットなど通信回線上の任意のサーバーへアクセスしてＨＴＭＬやＸＭＬ等のマークアップ言語で記述されたファイルを取得し、キーワード置換部による処理を行った後のＨＴＭＬや　ＸＭＬのファイルを表示するブラウザ部を備える。キーワード置換部による文字列置換により、生体情報通信端末固有の情報をＨＴＭＬやＸＭＬのファイルに組み込むことができ、その情報をブラウザ部で接続するサーバーに送信することができる。これによりユーザはブラウザを用いて、端末やユーザに適した情報サービスを受けることができる。
【００１８】
本発明の請求項４にかかる生体情報通信端末は、血圧値や血糖値などの生体情報を計測する生体情報計測部と、生体情報計測部で測定した生体情報を生体情報サーバーへ送信する計測情報送信部と、ユーザのＩＤ・氏名・保険証番号・電話番号など個人情報を記憶するユーザ情報記憶部と、ユーザのログイン操作から現在の利用者を判定する利用者管理部と、利用者管理部で得られる現在の利用者情報から、ユーザ情報記憶部を検索して、ＨＴＭＬやＸＭＬ等のマークアップ言語中に記載された所定のキーワードを、現在利用しているユーザの個人情報へ置き換えるキーワード置換部と、キーワード置換部の処理において、どのキーワードがどの個人情報へ変換されるかを示した文字列の置換規則を記憶するキーワード記憶部と、インターネットなど通信回線上の任意のサーバーへアクセスしてＨＴＭＬやＸＭＬ等のマークアップ言語で記述されたファイルを取得し、キーワード置換部による処理を行った後のＨＴＭＬや　ＸＭＬのファイルを表示するブラウザ部を備える。この構成により、ログインして使用しているユーザの個人情報をブラウザ部で表示されるＨＴＭＬ／ＸＭＬファイルに組み込むことができ、ユーザの複雑な操作無しに接続先のサーバーにその情報を送信することができる。したがって、ブラウザ部で表示されるコンテンツは、ユーザの個人毎に適したものにする事ができる。
【００１９】
本発明の請求項５にかかる生体情報通信端末は、請求項３および４において、ユーザからの入力を受け付ける入力部を備え、入力部によるユーザからの入力に応じてキーワード記憶部に記憶されている文字列置換規則を変更することを特徴とする。これにより、ユーザが個人情報がブラウザ部の接続先サーバーへ送信されるの停止させたり、その送信内容を変更させたりできる。
【００２０】
本発明の請求項６にかかる生体情報通信端末は、請求項３および４において、キーワード記憶部に記憶されている置換規則を生体情報サーバーから取得するキーワード取得部を備える。置換規則を生体情報サーバーから通信により取得することにより、ＵＲＬ毎に適した置換規則を端末側で設定する必要が無くなる。
【００２１】
本発明の請求項７にかかる生体情報サーバーは、ユーザのＩＤ・氏名・保険証番号など個人情報を記憶する個人情報記憶部と、個人情報をユーザの利用する生体情報通信端末へ送信する個人情報送信部と、生体情報通信端末においてキーワード記憶部に記憶されている置換規則をユーザ毎あるいはＵＲＬ毎に記憶する置換規則記憶部と、置換規則記憶部に記憶されている置き換え規則を生体情報通信端末に送信する置換規則送信部と、置換規則記憶部に記憶されている置換規則もしくは個人情報記憶部に記憶されている個人情報の少なくとも一方を登録・変更・削除を行うユーザデータ管理部を備える。生体情報通信端末で利用する置換規則をユーザ毎あるいはＵＲＬ毎に管理し、それを通信により端末に送信することで、ユーザは端末側で特別な設定操作を行わなくとも、適した置換規則を取得することができ、端末側のブラウザ部により個人毎の情報サービスなど、より個人に適したホームページを閲覧することができる。
【００２２】
本発明の請求項８にかかる生体情報サーバーは、請求項７において、個人情報送信部は置換規則記憶部に記憶された置換規則に記載された個人情報種類のみを生体情報通信端末へ送信し、置換規則に記載されていない個人情報種別については生体情報通信端末へ送信しない。これにより、生体情報通信端末で利用しない個人情報を通信することが無くなり、インターネットなどの通信経路で盗聴などが発生したときにも被害を最小限にできる。
【００２３】
本発明の請求項９は、請求項１〜８のいづれか１項記載の機能の全てもしくは一部をコンピュータに実現させるためのプログラムである。そして、プログラムであるので汎用コンピュータやパソコンなどを用いて本発明の機能の一部あるいは全てを容易に実現することができる。また記録媒体に記録したり通信回線を用いてプログラムを配信したりすることでプログラムの配布やインストール作業が簡単にできる。
【００２４】
【実施例】
以下、本発明の実施例について図面を用いて説明する。
【００２５】
（実施例１）
図１は本発明の全体構成を示した図である。図１において、１はユーザ（患者）の生体情報（血圧、体温、体重、血糖、心電図など）を測定するためのセンサ（具体的には、血圧計、体温計、体重計、血糖計など）である生体情報計測部、２は生体情報計測部１で測定した生体情報を生体情報サーバー３へ送信するとともに、さまざまな医療や保健に関する情報通信サービスをユーザに提供する生体情報通信端末、なお、図１では、生体情報計測部１と生体情報通信端末２は分かれた構成となっている。これは生体情報計測部１が生体情報通信端末２から着脱可能であることを示している。
【００２６】
しかしながら、生体情報計測部１と生体情報通信端末２が同一の筐体であり、両方でひとつの患者端末であるとしても良い。３は情報センターの中に設置された生体情報サーバー。生体情報通信端末２の設定や、生体情報通信端末２から送信された生体情報の蓄積・管理および情報提供サービスを行う。４は生体情報通信端末２のブラウザ機能で様々な情報サービス（通信販売、予約など）を提供するためのウェブサーバー。この図では生体情報サーバー３と同一の情報センター内に配置されているが、インターネットやイントラネットなどによりネットワーク接続されておれば、他の情報センター内にあっても良い。５は病院や保健センターなどの医療機関内で医師・看護婦などの医療管理者がユーザの生体情報等を閲覧するための医療関係者用端末である。医療関係者用端末５は通常のパソコンやワークステーションで構成される。
【００２７】
生体情報通信端末２、生体情報サーバー３の詳細な構成を、それぞれ図２，図３に示す。
【００２８】
図２の１１は生体情報計測部１（血圧計や血糖計などのセンサ）から送信されたデータを受信して生体情報を取り出し、生体情報サーバーへ送信する計測情報送信部、１２はユーザに対してセンサ機器の操作ガイド、生体情報の計測結果、医療関係情報を表示する表示部、１３はユーザ選択、計測対象種別（血圧、血糖など）の選択、動作選択などの端末動作のために必要なユーザからの入力を受け付ける入力部である。本実施例では、表示部１２は液晶ディスプレイ、入力部１３はタッチパネルから構成されており、図２中で点線で示しているように構成的には一体化している。表示部１２や入力部１３は他の構成（例えば、表示部１２がＣＲＴ，ＬＥＤなど、入力部１３が押しボタンなど）でもかまわない。
【００２９】
１４はユーザから入力された内容等から表示部１２や端末通信部１５など各部の動作を制御する入出力制御部、１５は電話回線などの公衆通信網を利用して生体情報サーバーや他のサーバーと通信を行う端末通信部、端末通信部の具体な構成は、接続する回線の種類に応じて異なり、例えばＡＤＳＬモデム、ケーブルモデム、アナログモデム、ＩＳＤＮターミナルアダプタなどの構成となる。
【００３０】
１６は表示部１２にユーザ選択画面を表示したときのユーザからの入力から、現在どのユーザが利用しているかを管理する利用者管理部、１７は生体情報サーバー３から、生体情報通信端末２に割り当てられているユーザの個人情報を通信により取得するユーザ情報取得部、１８はユーザ情報取得部１７で取得した個人情報を記憶するユーザ情報記憶部、ユーザ情報記憶部１８はフラッシュメモリやバッテリバックアップメモリなどの書き換え可能な不揮発性メモリを用い、通信状況が悪くサーバーと通信ができないときなどに備える。１９はＨＴＭＬやＸＭＬなどのマークアップ言語で記述されたファイルを、インターネットもしくはイントラネット上から取得し表示させるブラウザ部、２０はブラウザ部１９が接続するホームページのＵＲＬと引数を生体情報サーバー３から取得するＵＲＬ取得部、２１はブラウザ部１９で取得するＸＭＬ／ＨＴＭＬファイル中に記載された特別な文字列（キーワード）を指定された文字列へ置換するときの、置換規則を生体情報サーバー３から通信により取得するキーワード取得部、２２はキーワード取得部２１で取得したキーワード文字列の変換規則を記憶するキーワード記憶部。２３はブラウザ部１９で取得したＸＭＬ／ＨＴＭＬファイル中から、キーワード記憶部２２に記憶された文字列置換規則に基づいて、文字列置換を行うキーワード置換部である。
【００３１】
図３は生体情報サーバー３の詳細構成を示した図である。３１は生体情報通信端末２と様々な通信を行うサーバー通信部。具体的にはインターネットなどのバックボーンと接続するための光ファイバーなどの終端装置やスイッチ等と管理装置で構成されている。３２は生体情報通信端末２から送信された血圧や血糖値などの生体情報をデータベースに登録する生体情報登録部、３３は生体情報登録部３２により登録された生体情報を記憶・管理する生体情報記憶部、３５はユーザの名前やＩＤ、郵便番号、住所、自宅電話番号、保険証番号、病気名などの個人情報と、各ユーザと生体情報通信端末２の割り当て関係を記憶する個人情報記憶部、３４は個人情報記憶部３５に記憶されている個人情報を、ユーザが割り当てられている生体情報通信端末２へ送信する個人情報送信部、３７は生体情報通信端末２内部のキーワード置換部２３で用いられるキーワード文字列の置換規則を記憶する置換規則記憶部、３６は置換規則記憶部３７に記憶された文字列置換規則情報を生体情報通信端末２へ送信する置換規則送信部、３９は生体情報通信端末２内部のブラウザ部１９が接続するＵＲＬと接続の際の引数をユーザ毎あるいはユーザの病気名・地域名など毎に記憶するＵＲＬ記憶部、３８はＵＲＬ記憶部３９に記憶されている接続先ＵＲＬおよび引数情報を生体情報通信端末２へ送信するＵＲＬ送信部である。なお、生体情報記憶部３３・個人情報記憶部３５・置換規則記憶部３７・ＵＲＬ記憶部３９は、図に示すように一つのデータベースとして構築しても良い。この場合それぞれの記憶部はデータベース中のテーブルに対応する。
【００３２】
４０はデータベースにアクセスし、（１）生体情報（２）個人情報（３）キーワード文字列の置換規則に関する情報（４）ＵＲＬや引数などの情報の閲覧／新規登録／変更／削除／バックアップなどの管理を行うユーザデータ管理部、４１はパソコンなどで構成される医療関係者用端末５に生体情報サーバー３内のデータベースに接続させて、生体情報や個人情報を閲覧させるためのインタフェースを提供する医師端末インタフェース部である。
【００３３】
以上のように構成された生体情報通信端末２と生体情報サーバー３の動作を、図４〜８を用いて説明する。
【００３４】
図４は生体情報通信端末２の動作手順を示すフローチャートである。図４の各ステップにしたがって、生体情報通信端末２の動作を説明する。
【００３５】
（ステップＡ１）端末の起動直後に、ユーザ情報取得部１７は端末通信部１５を制御して生体情報サーバー３へ接続する。端末に割り当てられているユーザの個人情報（氏名、住所、電話番号、保険証番号、病気名など）を取得して、その情報をユーザ情報記憶部１８へ記憶させる。生体情報サーバー３では、個人情報送信部３４がデータベース中の個人情報記憶部３５を検索して取得し、ユーザ情報取得部１７へ送信する。
【００３６】
（ステップＡ２）ユーザ情報の取得後、キーワード取得部２１は端末通信部１５を介して生体情報サーバー３へ接続し、ブラウザ部１９で表示するＸＭＬ／ＨＴＭＬファイルの文字列置換規則（変換対象となるキーワードと、その文字列の置換規則）を取得する。文字列置換規則は生体情報サーバー３中の置換規則記憶部３７に記憶されており、置換規則送信部３６が生体情報通信端末２へ送信する。キーワード取得部２１で取得した文字列置換規則はキーワード記憶部２２に記憶させる。
【００３７】
（ステップＡ３）生体情報通信端末２中の入出力制御部１４は、ユーザ情報記憶部１８が更新されたことを確認して、表示部１２にログイン画面を表示する。
表示部１２での画面遷移を図５に示す。ログイン画面は図５（ａ）である。本実施例での生体情報通信端末２は複数のユーザが利用できる構成である。表示部１２と入力部１３は、本実施例では一体化しており、タッチパネル付液晶ディスプレイで構成されている。入出力制御部１４はユーザ情報記憶部１８に記憶されているユーザの名前を図５（ａ）のように表示部１２に一覧表示する。
【００３８】
（ステップＡ４）ユーザは表示された自分の名前を画面上で選択する。タッチパネルで構成された入力部１３は、その選択を検出し、ユーザの選択結果を利用者管理部１６に記憶させる。利用者管理部１６は、現在ログインしている使用ユーザ（カレントユーザ）の情報を管理する。
【００３９】
（ステップＡ５）ユーザ選択動作後、入出力制御部１４は表示部１２にメニュー画面を表示させる。図５（ｂ）にメニュー画面の例を示す。メニュー画面は端末側で行う処理や端末の持つ機能を、ユーザに選択させるためにわかりやすく表示したものである。図５（ｂ）の例では、「血圧測定」「血糖値測定」「体重測定」「ＷＥＢ」の４つの機能をユーザに提示している。タッチパネルによるユーザの選択にしたがって、端末は指定された処理を行う。
【００４０】
（ステップＡ６）入出力制御部１４は、メニュー画面で提示された機能の内、どれをユーザが選択したかを入力部１３で検出し、処理を切り替える。本実施例では、「ＷＥＢ」機能を選んだ場合は、ステップＡ７に進み。「血圧測定」「血糖値測定」「体重測定」の計測関係の項目が選ばれた場合は、ステップＡ１２に進む。「ＷＥＢ」機能とは、インターネット上あるいはイントラネット上にあるＨＴＭＬ／ＸＭＬコンテンツや画像・音声・動画などのコンテンツにアクセスし、医療・保健に関する情報サービスや通販・予約などの様々な情報サービスをユーザに提供する機能である。また、「血圧測定」などの計測関係の機能は、生体情報計測部１による計測結果を生体情報サーバー３に送信したり、計測手順などを表示部１２に表示する機能である。
【００４１】
（ステップＡ７）「ＷＥＢ」機能が選択された場合、入出力制御部１４はＵＲＬ取得部２０を起動させ、ログインしているユーザについてブラウザ部の接続先情報（ＵＲＬとその引数）を生体情報サーバー３から取得させる。具体的なＵＲＬと引数の例を以下に示す。
【００４２】
（例）ｈｔｔｐ：／／ｗｗｗ．ｓｈｏｐ．ｃｏｍ．ｕｓｅｒ−ｎａｍｅ＝”山田太郎”
この場合は、ＵＲＬ部が「ｈｔｔｐ：／／ｗｗｗ．ｓｈｏｐ．ｃｏｍ」であり、引数が、「”ｕｓｅｒ−ｎａｍｅ＝”山田太郎”」である。ユーザ毎にＵＲＬを管理している場合は、上記した例のように引数にユーザの名前を指定することもでき、接続したときに、相手側のサーバーにユーザ名を渡すことができる。
【００４３】
接続先情報は、生体情報サーバー３のデータベース中のＵＲＬ記憶部３９にユーザ毎に記憶されており、ＵＲＬ送信部３８により生体情報通信端末２に送信される。
【００４４】
なお、接続先情報であるＵＲＬと引数は、ＵＲＬ記憶部３９にユーザ毎に記憶させるだけでなく、病気名毎、あるいは担当医毎、病院毎、住居地域毎など様々な分類で設定しても良い。引数についても、名前などの個人情報だけでなく他の情報でもかまわない。
【００４５】
ＵＲＬ取得部２０で得られた接続先情報はブラウザ部１９に送信される。
【００４６】
（ステップＡ８）ブラウザ部１９は、端末通信部１５を制御して、取得した接続先に接続し、接続先のサーバーからＨＴＭＬやＸＭＬなどのコンテンツファイルを取得する。なお、ここでの接続先は図１のウェブサーバー４のように、生体情報サーバー３と異なるサーバーでも良い。また情報センター外のサーバーでも良い。
【００４７】
（ステップＡ９）キーワード置換部２３により、ブラウザ部１９で取得したＨＴＭＬ／ＸＭＬファイルについて文字列置換を行う。具体的な文字列置換の例を図６により説明する。
【００４８】
図６は、通販関連のホームページをブラウザ部１９が取得した場合の例である。（ファイル名：通販．ｈｔｍｌ）このＨＴＭＬは、押しボタンと「血糖計チップ購入」という文字列が表示される。（図５（ｄ））表示されたボタンを押すと、メールサーバー　”ｓｍｔｐ．ｅｘａｍｐｌｅ．ｎｅ．ｊｐ”　を利用して、宛先”ｂｕｙ＠ｈｅａｌｔｈ−ｓｈｏｐ．ｃｏｍ”　へ、題名：「血糖計チップ購入」、送信元：ログインユーザ名、本文にユーザの自宅の電話番号の記載されたメールを送信する。
【００４９】
一般に通常のホームページでは、ホームページ内でユーザが特別なログイン操作をしない限り、そのホームページを閲覧・操作しているユーザを特定することができない。通常のパソコンなどでは、キーボードやマウスなどを利用して、ログインＩＤやパスワード、名前などを入力することができるので、通信販売などについても個人認証が簡単に行える。しかし、本実施例の生体情報通信端末２は、キーボードなどの容易に日本語文字列が入力できる構成がないため、通常のＨＴＭＬでは、ホームページを閲覧しているユーザを特定できない。本発明では、この問題を解決するために、ブラウザにＨＴＭＬやＸＭＬのファイルを表示する前に、特定の文字列置換を行うことで、利用者管理部１６に記憶されている、ログインユーザの個人情報をホームページに自動的に組み込むことができる。
【００５０】
具体的には、図６中の（イ）に記載されているようなキーワードと文字列の置換規則を用いて、取得したＨＴＭＬ／ＸＭＬファイルの文字列をブラウザ部１９で表示動作を行う前に変換する。
【００５１】
図６（イ）では２つの文字列置換規則を示している。（ｉ）はＨＴＭＬ中に”％％ＰＡＴＩＮＥＴ＃ＮＡＭＥ％％”というキーワードを発見したときに、利用者管理部１６に記憶されているカレントユーザ（現在ログインしているユーザ）について、ユーザ情報記憶部１８の所定の領域の文字列（Ｔａｂｌｅ４　Ｆｉｅｌｄ　”ＮＡＭＥ”で指定される。第４表のフィールド名”ＮＡＭＥ”に記載されている文字列）　に記憶している文字列に置換するという処理を行う。この実施例では、Ｔａｂｌｅ４　Ｆｉｅｌｄ　”ＮＡＭＥ”　にはユーザの氏名が格納されている。この処理によりＨＴＭＬ／ＸＭＬに記載されている文字列”％％ＰＡＴＩＮＥＴ＃ＮＡＭＥ％％”は、図６（ウ）に示すように現在ログインしているユーザ名”山田次郎”に変わる。図６（イ）の２番目の置換規則も同様であり、キーワード”％％ＰＡＴＩＥＮＴ＃ＴＥＬＥＰＨＯＮＥ％％”を、現在ログインしているユーザについて、ユーザ情報記憶部のＴａｂｌｅ　４　Ｆｉｅｌｄ　”ＴＥＬ”　という領域に記憶されている文字列に変換する。本実施例では、Ｔａｂｌｅ　４　Ｆｉｅｌｄ　”ＴＥＬ”にはユーザの自宅の電話番号が記憶されている。これによりブラウザ部１９が取得したＨＴＭＬ／ＸＭＬファイル中の”％％ＰＡＴＩＥＮＴ＃ＴＥＬＥＰＨＯＮＥ％％”は、ユーザの自宅の電話番号に置換される。
【００５２】
図６（イ）に示したようなキーワードと置換規則は、ステップＡ２によりキーワード記憶部２２に記憶されている。
【００５３】
なお、ここでは通信販売業者に対して、発注メールを送信するアプリケーションを説明したが、他のアプリケーションでも同様である。上記手順により個人情報をブラウザ部１９での表示前にＸＭＬ／ＨＴＭＬに埋め込むことにより、ログインなどの認証動作無しに、ＷＥＢ上のＣＧＩなどでプログラムされたアプリを動作させることができる。なお、この例では、氏名と電話番号をＨＴＭＬ／ＸＭＬファイルに組み込んだが、他の個人情報でもかまわない。
【００５４】
（ステップＡ１０）変換後のＨＴＭＬ／ＸＭＬファイルは、ブラウザ部１９により表示部１７に表示される。図６の例では、変換後の（ウ）のファイルが表示される。（ウ）の例では、ＨＴＭＬにすでにユーザの個人情報が文字列置換により、組み込まれているので、ＨＴＭＬ上で特別なログイン操作をすることなく、ユーザがボタンを押すことにより、個人情報を通信販売のサーバーへ容易に伝えることができる（この例では、販売業者にログインユーザの名前と自宅電話番号の記載されたメールが送られる）。
【００５５】
（ステップＡ１１）ＷＥＢ機能による、ＨＴＭＬ／ＸＭＬなどによるホームページの閲覧や操作が終了したときは、メニュー画面の表示に戻る。
【００５６】
（ステップＡ１２）ステップＡ５で表示したメニュー画面（図５（ｂ））で、「血圧測定」「血糖値測定」「体重測定」などの生体情報測定関連のメニューをユーザが選択したときに、このステップに遷移する。入出力制御部１４は、表示部１２に生体情報計測部１（血圧計、血糖計など）を用いた生体情報の計測を促すための操作ガイドを出力する。ユーザは操作ガイドにしたがって生体情報計測部１を操作し、生体情報を計測する。
【００５７】
（ステップＡ１３）生体情報計測部１で測定した生体情報は、計測情報送信部１１で受信する。具体的には血圧計や血糖計などを生体情報通信端末２とケーブルなどで接続し、通信を行い計測した生体データを計測情報送信部１１で受信する。受信した情報は計測情報送信部１１により端末通信部１５を介して生体情報サーバー３に送信される。送信後はステップＡ５に戻り、再度メニュー画面を表示させる。
【００５８】
次に生体情報サーバー３の動作を図７、図８のフローチャートにより説明する。生体情報サーバー３の動作は、事前登録フローと端末との通信フローの２種類がある。
【００５９】
図７は、生体情報サーバー３の事前登録フローを示した図である。事前登録フローとは、生体情報通信端末２によるサービスの開始前に、ユーザの情報などをサーバーのデータベースに登録する作業である。
【００６０】
（ステップＢ１）情報センターの管理者あるいは医療関係者が、ユーザデータ管理部４０を用いて、生体情報通信端末２を利用するすべてのユーザの個人情報を個人情報記憶部３５に登録する。具体的には、ＩＤ、氏名、住所、電話番号、生年月日、性別、疾病名、使用する生体情報通信端末のシリアル番号などの情報である。ユーザデータ管理部４０はデータベース中の生体情報記憶部３３、個　人情報記憶部３５、置換規則記憶部３７，ＵＲＬ記憶部３９のすべてのデータにアクセスでき、閲覧・登録・変更・削除が可能である。
【００６１】
（ステップＢ２）次に、情報センターの管理者あるいは医療関係者は、ユーザデータ管理部４０を用いて登録したユーザ毎に、ブラウザで表示させる接続先のＵＲＬと引数をＵＲＬ記憶部３９へ登録する。ここでは個人毎に登録する例を示しているが、前述したように病名毎、病院毎などでも良い。
【００６２】
（ステップＢ３）最後に、情報センターの管理者は、設定したＵＲＬ毎に、ユーザのどの情報を通信販売や予約などの外部サーバーへ渡すかを判断し、端末側で検索するキーワードと文字列の置換規則を置換規則記憶部３７へ登録する。
【００６３】
図８は、生体情報サーバー３における生体情報通信端末２の通信に関するフローを示した図である。以降説明する生体情報通信端末２との通信は図７の事前登録後でなければならない。
【００６４】
（ステップＣ１）生体情報通信端末２が起動し、通信を開始すると端末中のユーザ情報取得部１７が個人情報データの送信要求を生体情報サーバー３へ送信してくる（図４端末側フローチャートのステップＡ１に対応）。
【００６５】
生体情報サーバー３中のサーバー通信部３１は、このユーザ情報取得部１７からの個人情報データ送信要求を受信すると、個人情報送信部３４を起動させる。
個人情報送信部３４は、データベース中の個人情報記憶部３５を検索して、端末に割り当てられているユーザの個人情報を取得し、サーバー通信部３１を介してユーザ情報取得部１７へ返信する。
【００６６】
なお、生体情報通信端末２と生体情報サーバー３がインターネット接続している場合など、個人情報データを通信する場合に、通信経路上のセキュリティが問題になるときがある。ネットワーク上を流れる情報の不正な盗聴などに対応するためにも、送信する個人情報はサービスに必要な最小限のものにする必要がある。
【００６７】
本実施例では、ログイン画面に表示する名前と、キーワード変換部２３で用いる個人情報が必要である。キーワード変換部２３で用いる個人情報は置換規則の設定毎によって異なる。したがって、個人情報送信部３４は、置換規則記憶部３７をアクセスし、ユーザのＷＥＢ画面閲覧で利用する置換規則に用いられている個人情報種類を判断し、端末で必要となる個人情報のみを送信する。ただし、名前情報はログイン画面に必須であるので、常に送信する。
【００６８】
（ステップＣ２）生体情報通信端末２は、個人情報データの取得後、キーワード取得部２１が、キーワード文字列の置換規則に関する情報の送信要求を生体情報サーバー３へ発行する。（図４端末側フローチャートのステップＡ２に対応）生体情報サーバー３中のサーバー通信部３１は、この送信要求を受信すると置換規則送信部３６を起動させる。置換規則送信部３６は、データベース中の置換規則記憶部３７を検索し、ユーザ毎あるいはＵＲＬ毎に設定されたキーワード文字列の置換規則を取得し、サーバー通信部３１を介してキーワード取得部１３へ返信する。
【００６９】
（ステップＣ３）このステップは、生体情報通信端末２のメニュー画面（図５（ｂ））で「ＷＥＢ」機能がユーザにより選択された場合の手順である。「ＷＥＢ」機能が選択された場合、端末側のＵＲＬ取得部２０により、生体情報サーバー３にログインユーザに割り当てられたＵＲＬとその引数の取得要求が送信される（図４端末側スローのステップＡ７に対応）。
【００７０】
生体情報サーバー３中のサーバー通信部３１は、この送信要求を受信するとＵＲＬ送信部３８を起動させる。ＵＲＬ送信部３８はデータベース中のＵＲＬ記憶部３９を検索して、ＵＲＬ取得部２０から指定されたログインユーザのＩＤから、対応するＵＲＬと引数を取得し、サーバー通信部３１を介してＵＲＬ取得部２０へ返信する。
端末側のブラウザ部１９は取得したＵＲＬにしたがって、他のサーバーへ接続する。
【００７１】
（ステップＣ４）このステップは、生体情報通信端末２のメニュー画面（図５（ｂ））で「血圧測定」「血糖値測定」「体重測定」などの生体情報計測系の機能が選択された場合のサーバー側の動作である。このような生体情報の計測関連の機能が選択された場合、端末側の計測情報送信部１１から端末通信部１５を介して、測定した生体情報の登録要求がサーバー側のサーバー通信部３１に送信される。（図４端末側フローチャートのステップＡ１３に対応）登録要求情報には、測定日時、ログインユーザ、計測種別（血圧、血糖などの種類）、値などが含まれる。サーバー通信部は、この登録要求を受信すると生体情報登録部３２を起動させる。生体情報登録部３２はデータベース中の生体情報記憶部３３に登録要求に応じて生体情報を登録する。
【００７２】
なお、（ステップＣ３）と（ステップＣ４）の順序は、ユーザのメニュー選択順序に応じて変化する。図８は一例に過ぎない。
【００７３】
以上説明したような図４および図７・図８の動作を行うことにより、生体情報通信端末２は生体情報の生体情報サーバー３への送信だけでなく、ブラウザ部１９で様々な情報通信サービスを受けることが可能になる。ブラウザ部１９で表示されるＨＴＭＬ／ＸＭＬファイルは、キーワード置換部２３により、ユーザの個人情報があらかじめ設定された置換規則に基づいて自動的に組み込まれる。したがって、ユーザは認証などの煩わしい操作をする事が無くなる。
【００７４】
なお、ユーザによっては個人情報が自動的に他サーバーに送信されることを嫌う可能性もあるため、ユーザの入力部１３の操作によりキーワード記憶部２２の置換規則を、削除もしくは動作不能に変更させたりするようにしても良い。
【００７５】
以上説明したように、本実施例にかかる生体情報通信端末および生体情報サーバーでは、生体情報通信端末内にブラウザ部、ＵＲＬ取得部、キーワード置換部を設け、生体情報サーバーにＵＲＬ送信部、置換規則送信部等を設けることにより、以下のような効果が発揮できる。
【００７６】
（１）医療・保健のサービスだけでなく、通信販売や予約など様々なネットワークサービスを、生体情報通信端末内のブラウザ部でユーザに提供できる。
【００７７】
（２）情報通信サーバーでは、ユーザ毎あるいは疾病などのグループ毎に、接続するＵＲＬを管理できるため、ユーザひとりひとりに適したサイトをＵＲＬとして設定することができる。
【００７８】
また、ＵＲＬに生体情報サーバーで設定した引数を持たせる事により、他のインターネット上のサイトにアクセスする際に、生体情報サーバーで管理している情報（個人情報など）を他のサイトに簡単に提供でき、より高度なサービスを提供することができる。
【００７９】
（３）生体情報通信端末のブラウザ部での表示前に、キーワード置換部による文字列置換を行うことにより、ＨＴＭＬ／ＸＭＬコンテンツにログインしているユーザの個人情報を組み込むことができる。これにより、他サイトを利用するに際して、特別な認証無しに様々なネットワークサービスを利用する事ができる。
【００８０】
【発明の効果】
以上より、本発明により、適切でかつ迅速なネットワークサービスを受けることができる。
【図面の簡単な説明】
【図１】実施例１の全体構成図
【図２】実施例１における生体情報通信端末２の構成図
【図３】実施例１における生体情報サーバー３の構成図
【図４】実施例１における生体情報通信端末２のフローチャート
【図５】実施例１における生体情報通信端末２の表示画面の変化を示す図
【図６】実施例１におけるキーワード置換部２３の動作説明図
【図７】実施例１における生体情報サーバー３の事前登録動作手順説明図
【図８】実施例１における生体情報サーバー３の通信動作手順説明図
【図９】従来の構成図
【符号の説明】
１　生体情報計測部
２　生体情報通信端末
３　生体情報サーバー
４　ウェブサーバー
５　医療関係者用端末
１１　計測情報送信部
１２　表示部
１３　入力部
１４　入出力制御部
１５　端末通信部
１６　利用者管理部
１７　ユーザ情報取得部
１８　ユーザ情報記憶部
１９　ブラウザ部
２０　ＵＲＬ取得部
２１　キーワード取得部
２２　キーワード記憶部
２３　キーワード置換部
３１　サーバー通信部
３２　生体情報登録部
３３　生体情報記憶部
３４　個人情報送信部
３５　個人情報記憶部
３６　置換規則送信部
３７　置換規則記憶部
３８　ＵＲＬ送信部
３９　ＵＲＬ記憶部
４０　ユーザデータ管理部
４１　医師端末インタフェース部
【図１】
2004126737.tif 000003
【図２】
2004126737.tif 000004
【図３】
2004126737.tif 000005
【図４】
2004126737.tif 000006
【図５】
2004126737.tif 000007
【図６】
2004126737.tif 000008
【図７】
2004126737.tif 000009
【図８】
2004126737.tif 000010
【図９】
2004126737.tif 000011